(57)【要約】【課題】釣竿を自動的に上下に繰り返し動かすようにした釣竿用駆動装置を提案すること。【解決手段】本発明の釣竿用駆動装置は、モータ２と、モータ２を駆動する電源となる電池４と、この電池４とモータ２との接続をオンオフするスイッチ１４と、モータ２により回転駆動される回転体５と、この回転体５の回転により往復揺動移動する往復移動部材８と、この往復移動部材８に設けられた釣竿保持部１３とを備えている。【選択図】  図１
2004357625.tif 000002
【特許請求の範囲】
【請求項１】
モータと、該モータを駆動する電源と、該電源と上記モータとの接続をオンオフするスイッチと、上記モータにより回転駆動される回転体と、該回転体の回転により往復揺動移動する往復移動部材と、該往復移動部材に設けられた釣竿保持部とを備えたことを特徴とする釣竿用駆動装置。
【請求項２】
基台上に、前記モータと、電源と、スイッチと、回転体と、往復移動部材とを設け、更に上記基台上に上記モータの回転を減速して上記回転体に伝達する減速輪列機構を設け、上記基台を所定位置にセットしたときに、上記回転体の回転軸心が水平方向となり、上記往復移動部材は上下方向に往復移動することを特徴とする請求項１に記載の釣竿用駆動装置。
【請求項３】
前記回転体の回転駆動部を設け、前記往復移動部材を前記基台に揺動可能に取り付けると共に、上記往復移動部材に上記回転駆動部と係合する係合面を設け、上記回転体が回転することにより上記回転駆動部が回転し、上記回転駆動部と係合する係合面を介して上記往復移動部材が上下方向に往復移動することを特徴とする請求項２に記載の釣竿用駆動装置。
【請求項４】
前記往復移動部材の前記係合面であって、前記回転体の前記回転駆動部との当接面に上記回転駆動部と一時的に衝合する衝合部を設けたことを特徴とする請求項３に記載の釣竿用駆動装置。
【請求項５】
前記回転体の前記回転駆動部は、上記回転体の偏心位置に設けたピンであり、前記往復移動部材の前記係合面は、上記ピンと係合する長孔であり、上記回転体が回転することにより上記ピンが回転し、上記ピンと係合する長孔を介して上記往復移動部材が上下方向に往復移動することを特徴とする請求項３に記載の釣竿用駆動装置。
【請求項６】
前記往復移動部材の長孔であって、前記回転体のピンとの当接面に上記ピンと一時的に衝合する衝合部を設けたことを特徴とする請求項５に記載の釣竿用駆動装置。
【請求項７】
前記電源は乾電池であり、前記基台は長尺状に形成され、その長尺状の基台上に、前記モータと、電源となる電池と、スイッチと、回転体と、往復移動部材とを、片手で把持できる筒状に配置したことを特徴とする請求項１に記載の釣竿用駆動装置。
【請求項８】
前記長尺状の基台上に配置された、前記モータと、電池と、回転体と、往復移動部材とをケースで覆うように構成し、上記ケースは、その一部が上記長尺状の基台方向に伸びる筒状部に形成され、上記筒状部が、片手で把持できる保持部に形成されていることを特徴とする請求項７に記載の釣竿用駆動装置。
【請求項９】
前記長尺状の基台を載置する載置用フレームと、該載置用フレームに取り付けられた他の箇所への取付部を有してなる基台保持用部材とを備えたことを特徴とする請求項７に記載の釣竿用駆動装置。
【請求項１０】
前記基台保持用部材は、少なくとも１軸の回動軸を備えたことを特徴とする請求項９に記載の釣竿用駆動装置。
【請求項１１】
前記基台保持用部材は、直交する２軸の回動軸を備えたことを特徴とする請求項１０に記載の釣竿用駆動装置。
【請求項１２】
前記回転体と前記往復移動部材との係合部に、前記往復移動部材の往復移動に一時的な衝合動作を与える衝合部を設けたことを特徴とする請求項１に記載の釣竿用駆動装置。
【発明の詳細な説明】
【０００１】
【発明の属する技術分野】
本発明は、釣竿を自動的に上下方向に繰り返し動かすようにした釣竿用駆動装置に関するものである。
【０００２】
【従来の技術】
釣りは多くの人々により職業として、また趣味としても行われている。釣りをするために用いられる釣竿は、手で持って扱うことが常識となっているが、釣りの動作には釣り餌が動いているかのように見せるために、上下に繰り返し動かす動作をさせるものがある。例えば、ワカサギ釣りにおいては、たえず釣竿を上下に動かす動作をさせている。
【０００３】
【発明が解決しようとする課題】
１回の釣りに費やされる時間は一般に長いが、釣竿をたえず上下に動かす動作は非常に単調であり、飽きられやすい。本発明は、釣竿を自動的に上下に繰り返し動かすようにした釣竿用駆動装置を提案することにより、上記問題点を解決しようとするものである。
【０００４】
【課題を解決するための手段】
上記課題を解決するために、本発明は、モータと、該モータを駆動する電源と、該電源と上記モータとの接続をオンオフするスイッチと、上記モータにより回転駆動される回転体と、該回転体の回転により往復揺動移動する往復移動部材と、該往復移動部材に設けられた釣竿保持部とを備えた釣竿用駆動装置を特徴とするものである。
【０００５】
上記釣竿用駆動装置は、釣竿を往復移動、例えば上下動させるために必要な、モータ、該モータを駆動するための電源、該電源と上記モータとの接続をオンオフするスイッチ、上記モータにより駆動される回転体、該回転体の回転により往復揺動移動する往復移動部材、該往復移動部材に設けられた釣竿保持部とを、ひとまとめに備えた装置であるから、上記スイッチをオンすれば、上記釣竿保持部に釣竿を保持させた状態で継続して釣竿の往復動を行わせることができる。
【０００６】
上記釣竿用駆動装置は、上記モータ、電源、スイッチ、回転体、往復移動部材を基台上に設け、更に上記基台上に上記モータの回転を減速して上記回転体に伝達する減速輪列機構を設け、上記基台を所定位置にセットしたときに、上記回転体の回転軸心が水平方向となるように構成しておけば、容易に上下方向の往復移動をさせることができる。また、減速輪列を設けておけば、高速回転のモータを用いても、釣りをするのに好適な釣竿の上下運動のスピードを容易に得ることができる。
【０００７】
上記釣竿用駆動装置において、上記回転体の偏心位置にピン等の回転駆動部を設け、また、上記往復移動部材を前記基台に揺動可能に取り付けると共に、上記往復移動部材に上記ピン等の回転駆動部と係合する長孔等の係合面を設けるように構成すれば、上記回転体が回転することにより容易に上記往復移動部材により上下方向への往復移動をさせるようにすることができる。
【０００８】
上記往復移動部材の長孔等の係合面には、上記回転体のピン等の回転駆動部との当接面に上記ピン等の回転駆動部と一時的に衝合する衝合部を設けておくことが好ましい。このように、往復移動部材の長孔等の係合面に、上記回転体のピン等の回転駆動部と一時的に衝合する衝合部を設けておけば、上記ピン等の回転駆動部による往復移動部材の往方向又は復方向への移動時に、上記往復移動部材が一時的に止められるような動きとなり、この動きが釣竿に伝達される。従って、釣竿の動きは単なるリニアな上下方向の往復運動だけではなく、機械的ではない印象を与える複雑な運動とすることができるので、釣竿用駆動装置として非常に好ましいものとなる。
【０００９】
また、上記電源を乾電池から構成し、上記基台を長尺状に形成し、その長尺状の基台上に、前記モータ、電池、スイッチ、回転体、往復移動部材を、片手で把持できる筒状に配置しておけば、この釣竿用駆動装置自体を片手で操作することができるものとなり、非常に取り扱いが便利となる。
【００１０】
更に、上記長尺状の基台上に配置された、前記モータと、電池と、回転体と、往復移動部材とをケースで覆うように構成し、上記ケースは、その一部が上記長尺状の基台方向に伸びる筒状部に形成され、上記筒状部を、片手で把持できる保持部に形成しておけば、取り扱いが更に容易となる。
【００１１】
上記釣竿用駆動装置は、更に、上記長尺状の基台を載置する載置用フレームと、該載置用フレームに取り付けられた他の箇所への取付部を有してなる基台保持用部材とを備えるようにすることが好ましい。このようにしておけば、上記基台保持用部材を用いて、他の箇所、例えば、別個に用意した支持台、又は、船の縁部等に上記取付部を介して載置用フレームを取り付け、この載置用フレームに上記長尺状の基台を載置するようにして、釣竿用駆動装置を常時は、例えば船の縁部に取り付けた状態で動作させ、必要な時のみ手に持って扱うようにすることができる。
【００１２】
上記基台保持用部材は、少なくとも１軸の回動軸を備えることが好ましく、直交する２軸の回動軸を備えておけば、支持台、又は、船の縁部等の位置や方向に無関係に所望の方向に釣竿を向かせることができる。
【００１３】
上記往復移動部材の往復移動に一時的な衝合動作を与える衝合部は、回転体と前記往復移動部材とが係合する箇所に適宜設けることができ、その数も任意である。
【００１４】
上記衝合部の形状は任意であるが、切り欠き形状が一般的である。また、たとえば、長孔内をピンが移動するように構成した場合、その長孔の巾がピンより大きければ、上記衝合部を突起とすることも可能である。また、長孔の当接面をピンが滑らかに移動するように構成した場合、その当接面に傷を付けておいたり、一部を荒らすようにし、上記滑らかな動きが阻害されるようにしても、上記衝合部を構成することができる。
【００１５】
【発明の実施の形態】
以下、添付の図面を参照して、本発明の好適な実施形態について詳細に説明する。
【００１６】
図１は、本発明の実施形態に係る釣竿用駆動装置の側面図、図２は同平面図を示す。図１、図２において、１は、本発明における釣竿用駆動装置を構成するための基台であり、細長い長方形の板材から構成される。この基台１上に、モータ２を取り付けた減速ギアボックス３と、上記モータ２を駆動するための電源である電池４を収納する収納ボックス１５とが取り付けられている。電池４としては、乾電池が一般的であるが、他の電池を用いてもよい。減速ギアボックス３内には、モータ２の回転を減速する公知の減速輪列機構が収納されており、減速ギアボックス３の両側側面には、モータ２の回転が所定の回転速度に減速されて回転駆動される回転体５が回転自在に支持されている。
【００１７】
図１、図２において、基台１の左側端部には、前面カバー６と共に支持台７が取り付けられており、支持台７の両側には、回転体５の回転により往復揺動移動される往復移動部材８が軸９を中心に揺動するように保持されている。往復移動部材８には、係合面としての長孔１０が設けられ、この長孔１０は回転体５の偏心位置に設けた回転駆動部としてのピン１１と係合している。従って、回転体５が回転することにより回転駆動部としてのピン１１が回転し、上記ピン１１が回転するときの径の範囲内で上記往復移動部材８を揺動させる。
【００１８】
基台１は、図１に示す水平状態で設置されて使用され、この時、釣竿が上下に往復移動することを前提として構成されている。従って、図１に示すように基台１の長尺方向が水平方向となるように設置された時に、減速ギアボックス３の側面から突出する上記回転体５の回転軸心１２は水平方向となるように構成されており、上記往復移動部材８は上下方向に揺動され、往復移動部材８の一端側に設けられた釣竿保持部１３も上下動する。
【００１９】
本発明における釣竿用駆動装置は、収納ボックス１５に収納された電池４をモータ２に通電可能となるように結線されたオンオフスイッチ１４を備えており、このスイッチ１４のオンオフによりモータ２のオンオフを行い、モータ２を回転させて回転体５、往復移動部材８を介して釣竿保持部１３に保持された釣竿を繰り返し上下動させる。
【００２０】
なお、図１、図２に示す実施形態においては、電池４とモータ２との間に、可変抵抗器１６を挿入結線してあり、摘み１７を回動することによりモータ２の回転速度を調整可能とし、釣竿用駆動装置を使用する人が、その場で適宜に釣竿の上下動の速度を調整できるようになっている。
【００２１】
上記のように構成された釣竿用駆動装置は、モータ２、減速ギアボックス３、回転体５、往復移動部材８等を覆う前側ケース２３と、電池４を収納した収納ボックス１５及び可変抵抗器１６を覆う後側ケース２４とを備えている。前側ケース２３と後側ケース２４とは、それぞれ長尺状の基台１方向に伸びる筒状部に形成されており、特に、後側ケース２４は、片手で持って扱うことのできる保持部として、手で持ちやすいように形成されている。
【００２２】
本実施の形態においては、電池４は、乾電池を複数個、具体的には単２乾電池を２個並べた構成としているので、電池４を収納した収納ボックス１５を覆う後側ケース２４の大きさは、片手で持つのにちょうどよい太さとなる。また、乾電池を複数個取り付けることにより釣竿用駆動装置側が釣竿そのものに対して重くなるから、本釣竿用駆動装置を、他の箇所への取付部を有してなる基台保持用部材にセットしたときの姿勢も安定させることができる。
【００２３】
なお、電池４としては、乾電池が入手しやすく好ましいが、独立して扱える電池であればよく、乾電池に限られない。
【００２４】
図３は、釣竿保持部１３に釣竿２０を取り付けた状態を示す側面図である。この実施の形態における釣竿２０は、釣り糸２１を巻き取るためのリール２２とを備えている。このリール２２は手動で回転させて、釣り糸２１を送り出し、又は巻き取りするようになっている。但し、本釣竿用駆動装置は、モータとそのモータを駆動する電源を備えているから、これらを利用して、リールを回転させる機構を組み込み、釣り糸２１を動力で送り出し、又は巻き取りするようにしてもよい。
【００２５】
以上のように、本釣竿用駆動装置は、図３に示すように、この装置の後側ケース２４を手で持って釣竿２０を操作することもできるし、釣竿２０を釣竿保持部１３から取り外せば、それだけを手に持って操作することもできる。従って、釣竿２０を釣竿保持部１３に固着し、一体化しておいても自由に取り扱うことができる。
【００２６】
本釣竿用駆動装置においては、上記のように前側ケース２３と後側ケース２４とにより覆われた釣竿用駆動装置を駆動することができるように、前側ケース２３からはオンオフスイッチ１４が露出しており、また、後側ケース２４からは摘み１７が突出しており、それぞれが操作できるようになっている。従って、オンオフスイッチ１４によりモータ２を駆動させ、釣竿２０を上下に揺動させることができるとともに、摘み１７を用いてモータ２の回転速度を変え、釣竿２０の上下方向の揺動速度を変更することができる。
【００２７】
図４は、本釣竿用駆動装置を構成する長尺状の基台１を載置する載置用フレーム３１と、該載置用フレーム３１に取り付けられた他の箇所への取付部３２とを有してなる基台保持用部材３０を示す側面図である。
【００２８】
図４において、載置用フレーム３１の左右方向（前後方向）には、金属板により弾性を有するように形成された本釣竿用駆動装置を保持するための弾性保持部３３が取り付けられており、本釣竿用駆動装置の前側ケース２３と後側ケース２４とをそれぞれ弾性保持部３３にはめ込めば、釣竿用駆動装置を載置用フレーム３１により保持させることができるようになっている。
【００２９】
載置用フレーム３１は、その軸３４が回転部材３５に回転自在に取り付けられており、軸３４を中心としてＸ方向に回動できるようになっている。取付部３２は、回転部材３５を、軸心Ｙを中心に回転自在に保持するもので、回転部材３５の円板部３６が取付部３２の円形孔に嵌合することによって、上記円形孔にガイドされて円板部３６の中心Ｙを回転軸心として回動できるようになっている。また、取付部３２には、固定用の進退可能なネジ部３７が取り付けられており、ネジ部３７を進退させることによって、船の縁部や別個に設けられた取付台等の他の箇所４０に固定することができる。
【００３０】
以上のように、本釣竿用駆動装置を載置することのできる基台保持用部材３０は、軸３４を中心とする回動軸と、円板部３６を中心とする回動軸との、直交する２軸の回動軸を備えていることになるから、取付部３２により船の縁部や取付台等の他の箇所４０に固定した状態で、円板部３６を中心として回動させて水平方向の向きを調整したり、軸３４を中心として回動させることにより、釣竿の上下方向の向きを調節し、本釣竿用駆動装置を載置用フレーム３１に保持させた時の水平方向及び垂直方向の向きを自由に可変することができる。そして、このセットされた状態で、オンオフスイッチ１４をオンすれば、モータ２を駆動させて釣竿２０を上下に繰り返し揺動させることができる。
【００３１】
釣竿の動きは、ただ単にモータによって上下にスムーズに移動するだけでは、非常に機械的であり、釣りをする上で自然な動きとは言えない。この観点より、本実施の形態においては、図５に示すように、長孔１０の下側当接面３８に、回転体５のピン１１と一時的に衝合する衝合部となる切欠き凹部３９を設けてある。このように、長孔１０の下側当接面３８に切欠き凹部３９を設けておけば、図５において、回転体５が時計方向に回転し、回転体５のピン１１が長孔１０の下側当接面３８を押し下げ、即ち、釣竿保持部１３に取り付けた釣竿２０を上昇させている途中で、ピン１１が切欠き凹部３９と一時的に衝合し、これが釣竿に伝えられて、釣竿は一時的に「ピクン」とした動きとなり、単なる機械的な上下往復運動とは別の、釣りをする上でより自然な動きをさせることができる。
【００３２】
図５の実施の形態においては、ピン１１の径と長孔１０の巾とをほぼ等しく設定してあるので、上記衝合部は切欠き凹部３９として形成したが、長孔１０の巾をピン１１より大きくした場合には、上記衝合部を突起として形成することも可能である。また、長孔１０の当接面をピン１１が滑らかに移動するように構成してある場合には、例えば下側当接面３８に傷を付けておいたり、一部を荒らすようにしておくだけでも、上記滑らかな動きが阻害され、上記衝合部としての作用を行わせることができる。
【００３３】
また、上記の切欠き凹部３９は、長孔１０の下側当接面３８だけでなく上側当接面に設けてもよい。切欠き凹部３９を設ける位置によって、釣竿を持ち上げる動作の時に上記一時的な衝合動作をさせたり、釣竿を下降させる動作の時に上記一時的な衝合動作をさせることができる。また、切欠き凹部３９の形も、自由に変更することができる。
【００３４】
また、上記実施の形態においては、釣竿保持部１３に取り外し可能に釣竿２０を保持させるように構成したが、釣竿保持部１３に釣竿２０を固着しておいてもよい。この場合、釣竿２０が往復移動部材８に固着されている部分が釣竿保持部１３となる。
【００３５】
また、上記実施の形態においては、往復移動部材８には、係合面としての長孔１０を設け、回転体５の偏心位置に、長孔１０に係合する回転駆動部としてのピン１１を設けるようにしているが、他の係合構成を採用しても構わない。例えば、回転体５に楕円形状の回転部材を取り付け、この楕円形状の回転部材を往復移動部材８に当接させ、上記楕円形状の回転部材を回転させることによって、楕円形状の径の違いによって往復移動部材８を上下動させるようにしてもよい。
【００３６】
なお、上記の実施の形態においては、片手で持って扱えるように、小型の釣竿用駆動装置、特に、わかさぎ釣り用の釣竿用駆動装置を示したが、川や湖水用の小型の釣竿用駆動装置に限らず、釣竿を上下動させる必要のある海釣り用の釣竿用駆動装置として構成することもできる。この場合、一般的には、両手で扱うことになるため、装置全体は大型なものとして構成することができる。
【００３７】
【発明の効果】
以上説明したように、本発明における釣竿用駆動装置は、モータと、該モータを駆動する電源と、該電源と上記モータとの接続をオンオフするスイッチと、上記モータにより回転駆動される回転体と、該回転体の回転により往復揺動移動する往復移動部材と、該往復移動部材に設けられた釣竿保持部とを備えたものであるから、上記釣竿保持部に釣竿を保持させてスイッチをオンすれば、継続して釣竿の往復動を行わせることができる。
【００３８】
特に、上記往復移動部材の長孔等の係合面であって、上記回転体のピン等の回転駆動部との当接面に、上記ピン等の回転駆動部と一時的に衝合する衝合部を設けておけば、上記ピン等の回転駆動部による往復移動部材の往方向又は復方向への移動が、一時的に止められるような動きとなり、これが釣竿に伝達されたとき、釣竿の動きは単なるリニアな上下の往復動だけではなく、複雑な運動とすることができるので、釣竿用駆動装置として非常に好ましいものとなる。
【図面の簡単な説明】
【図１】本発明の実施形態に係る釣竿用駆動装置の側面図である。
【図２】図１に示す釣竿用駆動装置の平面図である。
【図３】本発明の実施形態に係る釣竿用駆動装置に釣竿を取り付けた状態を示す側面図である。
【図４】本釣竿用駆動装置に適用される基台保持用部材を示す側面図である。
【図５】本釣竿用駆動装置の要部を説明するための側面部である。
【符号の説明】
１  基台
２  モータ
３  減速ギアボックス
４  電池４
５  回転体
８  往復移動部材
１０  長孔（係合面）
１１  ピン（回転駆動部）
１３  釣竿保持部
１４  オンオフスイッチ
１５  収納ボックス
２０  釣竿
２１  釣り糸
２３  前側ケース
２４  後側ケース
３０  基台保持用部材
３１  載置用フレーム
３２  取付部
３３  弾性保持部
４０  他の箇所
【図１】
2004357625.tif 000003
【図２】
2004357625.tif 000004
【図３】
2004357625.tif 000005
【図４】
2004357625.tif 000006
【図５】
2004357625.tif 000007